(57)【特許請求の範囲】
【請求項１】
固定側部材とこの固定側部材の摺動面に対し摺動回転する回転部材からなるロータリバルブと、洗浄流体を容器に噴射するノズルと、前記回転部材に連結されたメインシャフトと、このメインシャフトを回転させる駆動手段と、前記固定側部材と回転部材とを圧接させる押圧手段と、前記固定側部材と回転部材とを分離する押圧解除手段と、前記ロータリバルブおよびノズル等からなる容器の洗浄部を収容する洗浄室とを備え、かつ、前記駆動手段をこの洗浄室の外部に設置し、前記ロータリバルブを介して供給される洗浄流体を容器に噴射して洗浄を行うロータリ式容器洗浄装置において、
前記押圧解除手段が、前記メインシャフト内を貫通して一端が洗浄室の外部に延びるとともに、他端側が前記固定側部材と連結可能な昇降シャフトと、この昇降シャフトを昇降させる作動手段とを備え、前記作動手段を前記洗浄室の外部に設置したことを特徴とするロータリ式容器洗浄装置。
【発明の詳細な説明】
【０００１】
【発明の属する技術分野】
本発明はロータリ式容器洗浄装置に係り、特に、ロータリバルブの固定側部材と回転部材との摺動面を洗浄するために、両部材を分離することを可能にした押圧解除手段の構成に関するものである。
【０００２】
【従来の技術】
一般に、ロータリ式容器洗浄装置は、中央の軸を中心に回転する回転ホイールと、この回転ホイールの外周部に円周方向等間隔で設けられ、コンベヤによって搬送されてきた容器を入口スターホイールから受取って把持し、回転搬送する間にこの容器を反転させる複数のボトルグリッパと、前記回転ホイールの各ボトルグリッパに対応する位置にそれぞれ設けられ、ボトルグリッパによって倒立された容器内に洗浄液を噴射してこの容器の内部を洗浄する内洗ノズルと、固定側から前記回転ホイールの内洗ノズルに洗浄液を供給するロータリバルブ等を備えている。
【０００３】
従来のロータリバルブは、固定側部材（ディストリビュータ）と、回転ホイールに取付けられて一体的に回転し、上下に対向して配置されている前記固定側部材に対し摺動回転する回転部材（ロータ）とを備えている。回転部材の内部には、前記各内洗ノズルに接続された配管に洗浄液を給送する吐出通路が形成され、一方、固定側部材には、ポンプから送り出されてきた洗浄液を分配供給する供給通路が形成されており、回転ホイールの回転中の所定の区間において、回転部材の吐出通路が固定側部材の供給通路に接続されると、洗浄液が前記配管を介して内洗ノズルに送られ、ボトルグリッパに把持されている容器内に噴射されてその容器の洗浄を行なうようになっている。
【０００４】
前記構成に係るロータリ式容器洗浄装置では、ポンプから送り出された洗浄液が固定側部材の供給通路に常時供給され、回転部材の回転中にこの供給通路に合致した吐出通路からノズルに洗浄液が供給されて、容器に対して噴射されるようになっているので、固定側部材と回転部材との摺動面に強い液圧が作用して回転部材を分離させようとしている。そこで、これら固定側部材と回転部材とが分離してその摺動面から洗浄液が洩れることがないように、エアシリンダ等の押圧手段によって固定側部材を回転部材に押し付けている。
【０００５】
ロータリ式容器洗浄装置では、通常の容器洗浄作業を行う生産運転時には、前記のように押圧手段によって固定側部材と回転部材とを押し付けた状態で、回転部材を回転させているので、両部材の摺動面の摩擦により摩耗粉等が発生する。そのため、通常の洗浄運転の開始前あるいは、運転終了後に、前記押圧手段による押し付け力を解除して両部材を離隔させ、両部材間の摺動面を洗浄するようにしている。このように固定側部材と回転部材とを押し付けて圧接させる押圧手段と、両者の圧接を解除して分離させる押圧解除手段を備えたロータリ式容器洗浄装置は従来から知られている（特開平１１−２７７０１７号公報、特開平１０−１１３６２９号公報）。
【０００６】
前記第１の公報（特開平１１−２７７０１７号）に記載された従来のロータリ式容器洗浄装置では、中心軸の周囲に固定側プレート（ディストリビュータ）を昇降可能に嵌合させるとともに、このディストリビュータの内部に空間を形成して、前記中心軸の外周に固定したピストンをこの内部空間内に摺動自在に嵌合し、さらに、このピストンによって区画形成された空間内の上下の室をそれぞれ切換弁を介してエア供給源に接続している。
【０００７】
このロータリ式容器洗浄装置の構成では、ピストンの下方の室にエアを導入すると固定側プレートが下降し、その下方に配置されている回転プレート（ロータ）に押し付けられて、洗浄運転中に固定側プレートと回転プレートとが離隔しないようになっている。そして、両プレート間の摺動面を洗浄する際には、前記ピストンの上方の室内にエアを導入することにより固定側プレートを上昇させて、下方の回転プレートとの間に隙間を形成して、両者の摺動面を洗浄するようにしている。このロータリ式容器洗浄装置では、固定側プレートと回転プレートとを圧接させる押圧手段とこれら両プレートの圧接状態を解除して分離させる押圧解除手段とが単一のエアシリンダから構成されている。
【０００８】
また、第２の公報（特開平１０−１１３６２９号公報）に記載されたロータリ式容器洗浄装置は、回転ホイールに取り付けた回転プレートと、バックアップリングに圧入されて一体化された固定側プレートから成るロータリバルブを備え、このバックアップリングの外周に設けられた取付け部に、押し上げ用エアシリンダのロッドが連結されたロータリ式容器洗浄装置が記載されている。
【０００９】
このロータリ式容器洗浄装置の構成では、通常の洗浄運転を行う場合には、エアシリンダによりバックアップリングを押し上げて、固定側プレートの上面を回転プレートの下面に圧接させることにより、洗浄液の液圧により両プレートが分離しないようにしている。そして、両プレート間の摺動面を洗浄する場合には、エアシリンダによりバックアップリングを引き下げることにより、固定側プレートを下降させて両プレート間に間隙を設けるようにしている。このロータリ式容器洗浄装置でも、同一のエアシリンダによって固定側プレートと回転プレートの圧接および解除を行っている。
【００１０】
【発明が解決しようとする課題】
前記各公報に記載されたロータリ式容器洗浄装置は、いずれも、固定側プレートおよび回転プレートから成るロータリバルブや、このロータリバルブを介して洗浄液が供給されるノズル、および容器を保持するボトルグリッパ等の容器の洗浄を行う部分が洗浄室内に収容され、一方、回転プレート、ノズルおよびボトルグリッパ等が取り付けられている回転ホイールを回転駆動する駆動手段は、前記洗浄室の外部の機械室側に配置されている。そして、固定側プレートと回転プレートとを圧接させる押圧手段およびその圧接を解除する押圧解除手段であるエアシリンダが、容器の洗浄を行う洗浄室の内部に配置されている。
【００１１】
ところで、エアシリンダは、完全にエア洩れをなくすことはできず、微少ではあっても必ずリークがあるので、前記従来のロータリ式容器洗浄装置のように、押圧手段や押圧解除手段であるエアシリンダを洗浄室内に設置してあると、エアのリークにより洗浄室内の環境が汚染されてしまうおそれがあった。
【００１２】
本発明は前記課題を解決するためになされたもので、押圧解除手段の作動手段を洗浄室の外部に設置することにより、この作動手段による洗浄室の内部環境の汚染を防止するようにしたロータリ式容器洗浄装置を提供することを目的とするものである。
【００１３】
【課題を解決するための手段】
本発明に係るロータリ式容器洗浄装置は、固定側部材とこの固定側部材の摺動面に対し摺動回転する回転部材からなるロータリバルブと、洗浄流体を容器に噴射するノズルと、前記回転部材に連結されたメインシャフトと、このメインシャフトを回転させる駆動手段と、前記固定側部材と回転部材とを圧接させる押圧手段と、前記固定側部材と回転部材とを分離する押圧解除手段と、前記ロータリバルブおよびノズル等からなる容器の洗浄部を収容する洗浄室とを備え、かつ、前記駆動手段をこの洗浄室の外部に設置し、前記ロータリバルブを介して供給される洗浄流体を容器に噴射して洗浄を行うロータリ式容器洗浄装置において、前記押圧解除手段が、前記メインシャフト内を貫通して一端が洗浄室の外部に延びるとともに、他端側が前記固定側部材と連結可能な昇降シャフトと、この昇降シャフトを昇降させる作動手段とを備え、前記作動手段を前記洗浄室の外部に設置したものである。
【００１４】
【発明の実施の形態】
以下、図面に示す実施の形態により本発明を説明する。図１は本発明の一実施の形態に係るロータリ式容器洗浄装置の縦断面図、図２はその要部の拡大断面図である。ベース２に形成された貫通穴２ａ内を上下に貫通してメインシャフト４が配置され、ベース２上に固定されたハウジング６内のベアリング８によって回転自在に支持されている。このメインシャフト４の上部に回転ホイール１０が固定されている。メインシャフト４の下部には、回転ギア１１が固定されており、図示しない駆動手段によってこの回転ギア１１が回転することにより、メインシャフト４および回転ホイール１０が一体的に回転する。前記ベース２の上方には、洗浄室１２が形成されており、前記回転ホイール１０はこの洗浄室１２内に収容されている。なお、図１には、洗浄室１２の底面１２ａだけを示してある。また、前記ベアリング８の上方には、オイルシール１９が装着されており、このオイルシール１９によって、下方の駆動部側と洗浄室１２の内部との気密が保持されている。
【００１５】
前記回転ホイール１０の外周寄りに、円周方向等間隔で複数のボトルグリッパ１４が設けられている。これら各ボトルグリッパ１４は、回転ホイール１０の外周縁部に垂直に固定された支柱１６上に支持されて、水平な支点を中心に半径方向外方側（図１の右側の状態）と内方側（図１の左側の状態）とに反転できるようになっており、反転することにより把持している容器１８を倒立させ、また正立状態に戻すことができる。これら各ボトルグリッパ１４が容器１８を把持して反転させた位置の下方には、洗浄液を噴射するノズル２０がそれぞれ配置されており、容器１８が反転されて倒立状態になると、ノズル２０の先端がその容器１８の口部に対向する。
【００１６】
回転ホイール１０の上面には、ノズル２０に供給する洗浄液の供給遮断を行なうロータリバルブ２２の回転側の部材を構成する環状の回転プレート（ロータ）２４が取付けられている。このロータ２４はピン２６によって前記回転ホイール１０の上面に固定されて一体的に回転する。ロータ２４の内部には、前記ボトルグリッパ１４の数と同数の吐出通路２８が放射状に形成されている。ロータ２４の内部に形成されている各吐出通路２８は、その洗浄液の入口側開口２８ａが、ロータ２４の上面側の同一円周上に等間隔で並び、洗浄液の出口側開口２８ｂは、ロータ２４の外周面に等間隔で配置されている。これら各吐出通路２８の出口側開口２８ｂは、それぞれ供給ホース３０を介して、前記各ノズル２０に接続されている。
【００１７】
前記回転ホイール１０の中心部の上方には、固定板３２の先端に取付けられたトルクアーム３４とこのトルクアーム３４の下面に固定された円形プレート３６との間に頭部プレート３７が回転自在に支持されたセンターシャフト３８が、前記メインシャフト４と同一軸線上に配置されている。このセンターシャフト３８は円柱状部３８ａの下端にフランジ状の拡大部３８ｂが形成されており、このフランジ状の拡大部３８ｂが前記回転ホイール１０の上面にボルト３９によって固定されている。
【００１８】
センターシャフト３８の円柱状部３８ａの外周に、前記ロータ２４とともにロータリバルブ２２を構成する固定側プレート（ステータ）４０が嵌合されている。前記円形プレート３６には複数のねじ穴３６ａが形成され、このねじ穴３６ａ内にそれぞれ円筒形のナット４２が螺合されている。一方、ステータ４０の上面には、前記円形プレート３６に螺合されているナット４２と対応する位置にそれぞれピン４４が直立して固定されており、これらピン４４がそれぞれ前記ナット４２内に挿入されている。そして、前記ナット４２の下端に形成されたフランジ４２ａの下面と、ピン４４に形成された鍔部４４ａの上面との間に、押圧手段としてのコイルスプリング４６が介装されている。
【００１９】
ステータ４０は、前記ピン４４を介して前記トルクアーム３４に連結されて回転が規制されるとともに、スプリング４６によって常時下方に付勢されている。前記円形プレート３６に螺合されているナット４２のねじ込み量を変更することによって、このスプリング４６のセット長さを調整して、ステータ４０および後に説明するディストリビュータをロータ２４に押し付ける力を調整することができる。
【００２０】
前記ステータ４０の下面に、円弧状の洗浄液供給用長穴（洗浄液供給通路）４８が開口している。この洗浄液供給用長穴４８は、ステータ４０の側面に開口する洗浄液取入口５０を介して外部に連通している。さらに、このステータ４０の下面すなわちこのステータ４０と前記ロータ２４との間には、樹脂製のディストリビュータ５２が配置されている。このディストリビュータ５２は、複数個所のロケーションピン５４によってステータ４０の下面に連結されており、回転方向の動きが規制されるとともに上下方向には相対移動できるようになっている。このディストリビュータ５２にも、前記ステータ４０の洗浄液供給用長穴４８と一致する位置に、上下に貫通する円弧状の洗浄液供給用長穴５６が形成されている。
【００２１】
ステータ４０の外周面には、複数のＬ字状のフック５８が下端の折り曲げ部５８ａを内方側に向けて取り付けられている。このＬ字状フック５８の下端の折り曲げ部５８ａの上面と前記ステータ４０の下面との間が、ディストリビュータ５２の厚さよりも大きく、しかも、後に説明するようにステータ４０を上昇させたときのステータ４０の下面とロータ２４の上面との距離よりも小さい間隔を有している。
【００２２】
ステータ４０およびディストリビュータ５２に設けられている円弧状の洗浄液供給用長穴４８，５６は、前記ロータ２４に形成されている多数の吐出通路２８の入口側開口２８ａが配置されている円と同一半径の円周上に位置しており、これらステータ４０およびディストリビュータ５２とロータ２４とを中心を一致させて重ね合せると、ロータ２４の摺動面の全周に亘って等間隔で開口している吐出通路２８の入口側開口２８ａの一部が、ディストリビュータの円弧状の洗浄液供給用長穴５６に連通し、他の入口側開口２８ａは円弧状長穴５６の形成されていない平坦な部分（摺動面）によって閉塞される。従って、ロータ２４がディストリビュータ５２に対して回転すると、各吐出通路２８は順次円弧状長穴５６に接続され、その後順次遮断される。
【００２３】
前記ステータ４０の側面に開口している洗浄液取入口５０は、供給配管を介して洗浄液タンクに接続されており、図示しないポンプから洗浄液タンクに送られた洗浄液が、この洗浄液取入口５０から前記円弧状の洗浄液供給用長穴４８およびディストリビュータ５２の円弧状の洗浄液供給用長穴５６を通ってロータ２４の各吐出通路２８に供給され、さらに、これら吐出通路２８の出口側開口２８ｂに接続された供給ホース３０を介して前記各ノズル２０に送られるようになっている。
【００２４】
前記センターシャフト３８の外周面とステータ４０の内周面との間には、円筒部６０ａと下端の大径部６０ｂとを有するプッシュプレート６０の円筒部６０ａが、スライドブッシュ６２を介して下方から挿入されている。また、プッシュプレート６０の大径部６０ｂの上面にスラストプレート６４が装着されて前記ステータ４０に対して摺動できるようになっている。なお、このプッシュプレート６０の大径部６０ｂの外面と前記センターシャフト３８の拡大部３８ｂに設けられた段部３８ｃとの間、および、プッシュプレート６０の円筒部６０ａの上端とセンターシャフト３８の円柱状部３８ａの外面との間にそれぞれブーツ６６，６８が装着されて、これら両者３８，６０が相対的に摺動する部分から発生する汚染が洗浄室１２内に放出されないようになっている。
【００２５】
前記メインシャフト４と、このメインシャフト４の上端に固定されている回転ホイール１０の中心部には、上下に貫通する貫通穴４ａ，１０ａが形成されており、これら貫通穴４ａ，１０ａ内にスライドシャフト７０が昇降可能に挿通されている。このスライドシャフト７０の下端は、メインシャフト４の貫通穴４ａから下方へ突出しており、この突出部７０ａが、下方に設けられた押上げ装置（押圧解除手段）７２の昇降プレート７４上にベアリング７６を介して回転可能に支持されている。この昇降プレート７４は複数のエアシリンダ７８のピストンロッド７８ａの上端に連結されており、これらエアシリンダ７８を作動させることによって、昇降プレート７４の昇降を介してスライドシャフト７０を昇降させることができる。
【００２６】
スライドシャフト７０の上端には、大径の頭部７０ｂが形成され、回転ホイール１０の中央部に設けられた凹部１０ｂの底面に係合するようになっている。このスライドシャフト７０の頭部７０ｂの上面と前記センターシャフト３８の下面との間には、スライドシャフト７０がセンターシャフト３８に干渉せずに昇降できる間隙が設けられている。
【００２７】
前記センターシャフト３８は、円柱状部３８ａの下端にフランジ状拡大部３８ｂが形成されており、このフランジ状拡大部３８ｂの基部（中心部寄りの部分）に、この拡大部３８ｂを上下に貫通するとともに、円柱状部３８ａの外面にも切り込んだ挿入孔８２が円周方向等間隔で３個所形成されている。これら各挿入孔８２内には、それぞれプッシュロッド８４が挿入されている。各プッシュロッド８４は、図３に示すように、一対の半円形のピン８４ａ，８４ｂを上下にずらして向かい合わせた形状をしており、上方に延びる側のピン８４ａを内周側、つまり円柱状部３８ａ側に、そして、下方に延びる側のピン８４ｂを外周側、つまり拡大部３８ｂ側に向けて挿入している。
【００２８】
前記プッシュプレート６０の内面の下端部にも、円周方向等間隔で３個所の半円形凹部６０ｃが形成されており、この凹部６０ｃ内に、プッシュロッド８４の下方に延びるピン８４ｂの上端が挿入されている（図２参照）。また、これら三本のプッシュロッド８４の上方に延びるピン８４ａの下端面が、前記スライドシャフト７０の頭部７０ｂの上面に載るとともに、下方に延びるピン８４ｂの下端部がこの頭部７０ｂの外周側に位置している。
【００２９】
以上の構成に係るロータリ式容器洗浄装置の作動について説明する。通常の容器洗浄作業を行う生産運転時には、押上げ装置（押圧解除手段）７２のエアシリンダ７８により昇降プレート７４を下降させて、スライドシャフト７０を下降した状態にしておく。スライドシャフト７０が下降した状態のときには、図２の右半分に示すように、プッシュロッド８４およびプッシュプレート６０も下降し、プッシュプレート６０の大径部６０ｂの上面に装着したスラストプレート６４がステータ４０の下面から離隔している。
【００３０】
このようにステータ４０に対して下方から押し上げる力が作用していない場合には、ステータ４０は、上方のスプリング４６によって下方へ付勢され、ディストリビュータ５２を介してロータ２４の上面に押し付けられている。前記押圧手段としてのスプリング４６による押し付け力は、ステータ４０およびディストリビュータ５２の円弧状の洗浄液供給用長穴４８，５６内に導入された洗浄液の圧力によって、ディストリビュータ５２とロータ２４とが分離して液洩れが発生することを防止できる強さに設定されている。この状態で、図示しない駆動手段によりメインシャフト４を回転させ、このメインシャフト４に固定された回転ホイール１０およびロータ２４を回転させる。
【００３１】
搬送コンベヤ（図示せず）によって正立した状態で連続的に搬送されてきた多数の容器１８は、スターホイール等の供給手段によってこのロータリ式容器洗浄装置内に順次搬入される。容器洗浄装置内に搬入された容器１８は、回転ホイール１０の外周部に取付けられているグリッパ１４によって一本ずつ把持される。回転ホイール１０の回転に伴って移動している間にグリッパ１４が回転ホイール１０の半径方向内方側に反転して、保持されている容器１８は倒立状態になる。倒立状態になった容器１８の口部に、前記内洗ノズル２０が向かい合うようになっている（図１の左側参照）。
【００３２】
ディストリビュータ５２の摺動面には、円弧状の洗浄液供給用長穴５６が開口して、ステータ４０の円弧状長穴４８を介して常時洗浄液が供給されており、ロータ２４の回転に伴って、吐出通路２８の入口側開口２８ａがディストリビュータ５２の円弧状長穴５６に接続されると、洗浄液は、ロータ２４の吐出通路２８および供給ホース３０を介して前記内洗ノズル２０に送られ、倒立している容器１８内に噴射されて容器１８の内部の洗浄が行なわれる。
【００３３】
ロータ２４の内部に形成された吐出通路２８の入口側開口２８ａが、ディストリビュータ５２の円弧状長穴５６内を移動している間は、ノズル２０に洗浄液が送られ容器１８の内部に噴射されて洗浄を行なう。その後、ロータ２４の回転によって吐出通路２８の入口側開口２８ａがディストリビュータ５２の円弧状長穴５６を通過すると、前記洗浄液を供給する一連の通路が遮断されて洗浄が終了する。以後、ボトルグリッパ１４は、所定の回転範囲に亘って容器１８を倒立状態のまま保持して搬送し水切りを行なう。その後、ボトルグリッパ１４は再び反転して容器１８を正立状態に戻した後、出口スターホイール等によってこのロータリ式容器洗浄装置外に排出する。
【００３４】
前記生産運転の終了後あるいは生産運転の開始前等に、固定側部材（ステータ４０およびディストリビュータ５２）と回転側部材（ロータ２４）との間の摺動面の洗浄を行う。この場合には、前記押圧解除手段７２のエアシリンダ７８を作動させて、スライドシャフト７０を上昇させる。すると、図２の左側に示すように、上昇したスライドシャフト７０の頭部７０ｂがプッシュロッド８４を押し上げ、さらにこのプッシュロッド８４がプッシュプレート６０を押し上げる。前記のように、スライドロッド７０が下降している時には、プッシュプレート６０の大径部６０ｂ上に載っているスラストプレート６４の上面とステータ４０の下面との間には僅かな間隙があるが、スライドロッド７０によってプッシュプレート６０が上昇されると、このスラストプレート６４がステータ４０の下面に当たってステータ４０を押し上げる。
【００３５】
ステータ４０が押し上げられると、ステータ４０とディストリビュータ５２がともに上昇して、ディストリビュータ５２の下面とロータ２４の上面との間に間隙が形成される。この状態で、ステータ４０の洗浄液取入口５０から洗浄液供給用長穴４８に洗浄液を供給すると、この洗浄液の圧力により、ディストリビュータ５２がステータ４０から離れてステータ４０の側面に取り付けられているフック５８に係合する。このフック５８の長さは、ディストリビュータ５２がステータ４０から離れたときに、ディストリビュータ５２がロータ２４に当接する位置まで落下せず、途中で吊り下げた状態になるように設定してある。従って、ディストリビュータ５２の上面がステータ４０の下面に対して間隙があり、しかも、ディストリビュータ５２の下面がロータ２４の上面に対して間隙がある状態になる。
【００３６】
このように、ディストリビュータ５２とロータ２４との摺動面およびディストリビュータ５２とステータ４０との間の結合面をそれぞれ離隔することができるので、ディストリビュータ５２の完全な洗浄が可能である。しかも、ステータ４０、ディストリビュータ５２およびロータ２４を分離する押圧解除手段７２の作動手段であるエアシリンダ７８を洗浄室１２の外部に設置したので、このエアシリンダ７８によって洗浄室１２内の雰囲気が汚染されるおそれがない。なお、この実施の形態では、ロータリバルブ２２の固定側部材としてステータ４０およびディストリビュータ５２を連結して使用しているが、固定側部材を単一の部材により構成することもできる。この場合には、ディストリビュータ（固定側部材）とロータ２４との摺動面を分離してこの部分だけを洗浄すればよい。
【００３７】
また、前記実施の形態では、ロータリバルブ２２の固定側部材（ステータ４０およびディストリビュータ５２）を回転部材（ロータ２４）に押し付けて圧接させる押圧手段としてスプリング４６を、そして、これらの圧接を解除して分離する押圧解除手段７２の作動手段としてエアシリンダ７８を用いたが、これら押圧手段と押圧解除手段として、前記公報に記載された従来のロータリ式容器洗浄装置のように単一のエアシリンダを兼用することもできる。
【００３８】
さらに、ステータ４０を昇降させる際に、スライドシャフト７０とステータ４０とを連結する手段は、前記プッシュプレート６０とプッシュロッド７４に限るものではなく、その他の構成とすることもできる。また、ロータリバルブ２２の固定側部材４０，５２と回転部材２４を、前記実施の形態と上下を逆にして配置することもできる。
【００３９】
【発明の効果】
以上述べたように本発明に係るロータリ式容器洗浄装置では、ロータリバルブを構成する固定側部材と回転部材との圧接を解除する押圧解除手段として、昇降シャフトとこの昇降シャフトを昇降させる作動手段とを設け、特に、その作動手段を容器の洗浄が行われる洗浄室の外部に設置したことにより、この作動手段から発生する汚染により洗浄室内の環境が悪化することを防止できる。
【図面の簡単な説明】
【図１】本発明の一実施の形態に係るロータリ式容器洗浄装置の全体の構成を示す縦断面図である。
【図２】前記ロータリ式容器洗浄装置の要部を拡大して示す縦断面図である。
【図３】固定側部材と回転部材との圧接状態を解除する押圧解除手段の要部を示す斜視図である。
【符号の説明】
４    メインシャフト
１２    洗浄室
２０    ノズル
２２    ロータリバルブ
２４    回転部材（ロータ）
４６    押圧手段（スプリング）
５２    固定側部材（ディストリビュータ）
７２    押圧解除手段
７０    昇降シャフト（スライドシャフト）
７８    作動手段（エアシリンダ）
【図１】
0004325059.tif 000002
【図２】
0004325059.tif 000003
【図３】
0004325059.tif 000004